(57)【要約】【課題】作業性に優れ、遊技釘の調整を繰り返し行いやすく、さらに、簡単な構造であり、製造コストが高くなりにくい遊技機を提供する。【解決手段】パチンコ遊技機１０は、遊技球が転動する遊技領域１５を有する遊技盤１４と、遊技領域１５の少なくとも一部を形成し、遊技盤１４に対して着脱自在に取り付け可能であり、複数の障害釘１３が植設された取付板１００とを備えており、複数の障害釘１３が、高温環境下において基の真直ぐな状態に復帰する形状記憶合金によって構成されている。【選択図】図５
2007111135.tif 000002
【特許請求の範囲】
【請求項１】
遊技球が転動する遊技領域を有する遊技盤と、
当該遊技領域の少なくとも一部を形成し、前記遊技盤に対して着脱自在に取り付け可能であり、複数の遊技釘が植設された取付板とを備え、
前記複数の遊技釘は、形状記憶合金からなることを特徴とする遊技機。
【請求項２】
前記遊技盤と前記取付板との固定部は、前記遊技領域外に設けられたことを特徴とする請求項１に記載の遊技機。
【請求項３】
前記遊技盤の遊技領域には、遊技球が通過することによって、所定の演出又は遊技球の払い出しが実行される入賞役物が設けられ、
前記取付板は、前記遊技盤における前記入賞役物の上方に位置する箇所に着脱自在に取り付けられていることを特徴とする請求項１又は２に記載の遊技機。
【発明の詳細な説明】
【技術分野】
【０００１】
本発明は、例えば、パチンコ遊技機に関する。
【背景技術】
【０００２】
従来のパチンコ遊技機では遊技盤に遊技球を転動させる遊技釘が、様々なレイアウトで植設されている。また、遊技盤には遊技球を入賞させる入賞役物が設けられており、この入賞役物へ遊技球がどの程度入賞しやすいかを、遊技釘の姿勢を変更することによって調整している。
【０００３】
具体的な調整方法としては、遊技釘を金槌などで叩いて、遊技釘を所望の姿勢に曲げて、入賞口の上方に位置する並設された遊技釘の間隔寸法を大きくしたり小さくしたりする作業が行われる。
【０００４】
ところで、遊技釘は、遊技球と衝突することにより、その姿勢が変ってしまいやすいために、その姿勢に関する調整について常に注意を払わなくてはいけない。また、繰り返し調整を行うことによって、遊技釘が基の姿勢に復帰できないほどに変形してしまうことがあり、このような場合には、遊技釘を交換する必要がある。しかし、遊技釘の交換には、交換対象の遊技釘の周囲の遊技釘を誤って叩くことを避けることや、新たな遊技釘を打ち込みすぎないようにする必要があり、作業性が悪い。このため、遊技釘の交換をできるだけ低減することが可能な遊技機の提供が必要とされている。
【０００５】
このため、遊技釘として形状記憶合金を用いることにより、遊技釘を基の姿勢に復帰させる球誘導釘装置を有する遊技機が提案されている（特許文献１）。この遊技機は、遊技釘として形状記憶合金を用いている。さらに、この遊技機は、遊技釘として用いる形状記憶合金に電熱線を巻き付け、電熱線により付加する温度を外部からの遠隔操作によって調整し、遊技釘を加熱することで適宜形状に変形させることができる。
【特許文献１】実開平５−６３５８３号公報
【発明の開示】
【発明が解決しようとする課題】
【０００６】
しかしながら、上記の遊技機は、形状記憶合金を用いた遊技釘を基の姿勢に復帰するための熱源として、遊技釘に電熱線が巻き付けられているが、このような構造は非常に複雑なため、製造コストが高くなりやすい。
【０００７】
このため、作業性に優れ、遊技釘の調整を繰り返し行いやすく、さらに、簡単な構造であり、製造コストが高くなりにくい遊技機の提供が求められている。
【０００８】
本発明は、上述した課題に鑑みてなされたものであり、作業性に優れ、遊技釘の調整を繰り返し行いやすく、さらに、簡単な構造であり、製造コストが高くなりにくい遊技機を提供することを目的とする。
【課題を解決するための手段】
【０００９】
以上のような目的を達成するために、本発明は、以下のようなものを提供する。
【００１０】
（１）  遊技球が転動する遊技領域を有する遊技盤と、当該遊技領域の少なくとも一部を形成し、前記遊技盤に対して着脱自在に取り付け可能であり、複数の遊技釘が植設された取付板とを備え、前記複数の遊技釘は、形状記憶合金からなることを特徴とする遊技機。
【００１１】
（１）の発明によれば、形状記憶合金（例えば、Ｎｉ−Ｔｉ系合金など）からなる遊技釘が植設された取付板は、遊技盤から着脱自在である。従って、例えば、遊技盤から取り外した取付板において、遊技釘を加熱することで容易に基の姿勢に戻したり、取付板ごと高温下（例えば、取付板がアクリル板であれば４０〜７０度）において洗浄を行うことで、板及び遊技釘の洗浄と、遊技球との衝突により変形された遊技釘の姿勢を基に戻すことが可能である。このように、遊技盤全体ではなく、取り外した取付板のみを高温下で洗浄するという作業性に優れた方法によって遊技釘の調整を繰り返し行うことが可能である。また、遊技釘が植設された着脱自在な取付板を有するという簡単な構造のため、製造コストを低下することが可能となる。このため、作業性に優れ、遊技釘の調整を繰り返し行いやすく、さらに、簡単な構造であり、製造コストが高くなりにくい遊技機を提供することができる。
【００１２】
（２）  （１）の遊技機であって、前記遊技盤と前記取付板との固定部は、前記遊技領域外に設けられたことを特徴とする遊技機。
【００１３】
（２）の発明によれば、（１）の発明の効果に加えて、例えば、役物などの遊技部材が無く、作業者にとって着脱作業がしやすい箇所である遊技領域外に遊技盤と取付板との固定部（例えば、ねじ、固定レバーなど）があるため、遊技盤と取付板の着脱が容易に行うことができることにより、作業性に優れ、遊技釘の調整を繰り返し行いやすい。さらに、転動する遊技球に障害とならないように構造を工夫することも必要のない、遊技球が転動しない遊技領域外に固定部を設けるという簡単な構造のため、製造コストを低下することが可能となる。このため、作業性に優れ、遊技釘の調整を繰り返し行いやすく、さらに、簡単な構造であり、製造コストが高くなりにくい遊技機を提供することができる。
【００１４】
（３）  （１）又は（２）の遊技機であって、前記遊技盤の遊技領域には、遊技球が通過することによって、所定の演出又は遊技球の払い出しが実行される入賞役物が設けられ、前記取付板は、前記遊技盤における前記入賞役物の上方に位置する箇所に着脱自在に取り付けられていることを特徴とする遊技機。
【００１５】
（３）の発明によれば、（１）又は（２）の発明の効果に加えて、入賞役物へ遊技球が入賞するために非常に重要な箇所であり、遊技釘を調整する頻度が高い入賞役物の上方に位置する取付板が着脱自在であるので、この取付板を取り外して遊技釘の調整作業を行うことができる。このため、遊技機に取り付けた状態のままで遊技釘を調整するよりも作業性に優れ、遊技釘の調整を繰り返し行いやすい。このため、作業性に優れ、遊技釘の調整を繰り返し行いやすく、さらに、簡単な構造であり、製造コストが高くなりにくい遊技機を提供することができる。
【発明の効果】
【００１６】
本発明によれば、形状記憶合金からなる遊技釘が植設された取付板が、遊技盤から着脱自在であるため、遊技盤全体ではなく遊技盤から取り外した取付板ごと、例えば、高温下での洗浄を行うことで、遊技釘の姿勢を基に戻すという作業性に優れた方法によって、遊技釘の調整を繰り返し行うことが可能であるとともに、遊技釘が植設された着脱自在な取付板を有するという簡単な構造のため、製造コストを低下することが可能となることにより、作業性に優れ、遊技釘の調整を繰り返し行いやすく、さらに、簡単な構造であり、製造コストが高くなりにくい遊技機を提供することができる。
【発明を実施するための最良の形態】
【００１７】
以下に、本発明に好適な実施形態について図面に基づいて説明する。なお、以下において説明する実施形態においては、本発明に係る遊技機に好適な実施形態として本発明を第１種パチンコ遊技機（「デジパチ」とも称される）に適用した場合を示す。
【００１８】
［遊技機の構成］
まず、遊技機の概観について図１及び図２を用いて説明する。図１は、本実施形態におけるパチンコ遊技機１０の概観を示す斜視図である。また、図２は、本実施形態におけるパチンコ遊技機１０の概観を示す分解斜視図である。なお、本実施形態を説明するための便宜上、遊技機を構成する各部材において遊技者側を向く面を前面、反対側の面を後面と称することにする。同様に、遊技者側を向く方向を前方、その反対方向を後方と称することにする。
【００１９】
図１及び図２に示すように、パチンコ遊技機１０は、前面に開口１２ａが形成された本体枠１２と、その本体枠１２における開口１２ａの内部に配設される各種の部品と、本体枠１２の前方に開閉自在に軸着された扉１１とから構成されている。この扉１１は、図１に示すように、開口１２ａを前面から閉鎖するためのものであり、通常閉鎖した状態で遊技が行われる。また、本体枠１２の前面には、上皿２０、下皿２２、発射ハンドル２６等が配設されている。
【００２０】
本体枠１２の開口１２ａ内部には、液晶表示装置３２と、スペーサー３１、遊技盤１４等が配設されている。なお、遊技盤１４、スペーサー３１、液晶表示装置３２以外の各種の部品（図示せず）については、理解を容易にするために説明を省略する。
【００２１】
遊技盤１４は、少なくとも一部又は全部が透過性を有する板形状の樹脂（部材）によって形成されている略長方形の取付板１００の前面に、障害釘１３やガイドレール３０、その他各種の部材（詳細は、図４を用いて後述する）を取り付けることによって構成される。この取付板１００として用いる透過性を有する部材としては、例えば、アクリル樹脂、ポリカーボネート樹脂、メタクリル樹脂など各種の材質が該当する。また、遊技盤１４は、その前面に、発射された遊技球が転動可能な遊技領域１５を有している。この遊技領域１５は、ガイドレール３０（具体的には後述の図４に示す外レール３０ａ）に囲まれ、遊技球が転動可能な領域である。一方、遊技盤１４は、その後面の中央部付近にラウンド数表示器５１を有している。このように、遊技盤１４は、遊技球が転動する遊技領域を有する遊技盤の一例である。
【００２２】
液晶表示装置３２は、スペーサー３１を挟んで、遊技盤１４の後方（背面側）に配設されている。この液晶表示装置３２は、遊技に関する画像の表示を可能とする表示領域３２ａを有している。この表示領域３２ａは、遊技盤１４の全部又は一部に、スペーサー３１を挟んで、遊技盤１４の後面側に重なるように配設される。言い換えると、この表示領域３２ａは、少なくとも、遊技盤１４における遊技領域１５の全部又は一部と重なるように遊技盤１４の後方に配設される。具体的には、液晶表示装置３２は、その表示領域３２ａが遊技領域１５の全部又は一部と、遊技領域外域１６の全部又は一部とに重なるように遊技盤１４の後方に配設される。この液晶表示装置３２における表示領域３２ａには、演出用の演出画像、装飾用の装飾画像等、各種の画像が表示される。
【００２３】
スペーサー３１は、遊技盤１４の後方に配設されるとともに、液晶表示装置３２の前方に配設される。つまり、スペーサー３１は、遊技盤１４と液晶表示装置３２によって挟持される。このスペーサー３１は、透過性を有した材料で形成されており、中央に大きな貫通穴３１ａが設けられている。貫通穴３１ａには、特別図柄表示器３３及び普通図柄表示器３５を収納する表示器ケース３７、特別図柄保留ランプ３４ａ、３４ｂ、３４ｃ、３４ｄならびに普通図柄保留ランプ５０ａ、５０ｂ、５０ｃ、５０ｄで構成される電飾ユニット５３が設けられる。表示器ケース３７の前面側は、視認向上を目的として、透明レンズ（図示せず）で覆われている。なお、図２では、一部符号を省略している。
【００２４】
なお、図２では、理解を容易にするため、遊技盤１４の後面に設けられる第１ワープ経路４７及びラウンド数表示器５１を記載している。第１ワープ経路４７は、透過性を有する材質で形成されており、入賞口２４（図４参照）に入賞した遊技球を、後述する第２ワープ経路４９（図４参照）に経由するために設けられている。
【００２５】
本実施形態において、ラウンド数表示器５１は、遊技盤１４の後面の右上部端付近に設けられているが、これに限定されず、ラウンド数表示器５１は、例えば、遊技盤１４上において外レール３０ａの中央付近に設けられる場合などもある。なお、ラウンド数表示器５１については後述する。
【００２６】
図３によって、特別図柄表示器３３、普通図柄表示器３５、特別図柄保留ランプ３４ａ〜３４ｄ及び普通図柄保留ランプ５０ａ〜５０ｄを説明する。図３は、電飾ユニット５３の拡大図である。
【００２７】
図３に示すように、表示器ケース３７に収容される特別図柄表示器３３は、複数の７セグメントＬＥＤ４１で構成されている。この７セグメントＬＥＤ４１は、所定の特別図柄の変動表示開始条件の成立により、点灯・消灯を繰り返す。７セグメントＬＥＤ４１の点灯・消灯によって、“０”から“９”までの１０個の数字図柄が、特別図柄（識別情報ともいう）として変動表示される。この特別図柄として、特定の数字図柄（例えば、“３”又は“７”の数字図柄）が停止表示された場合は、通常遊技状態から遊技者に有利な状態である大当り遊技状態（特定遊技状態）に遊技状態が移行する。この大当り遊技状態となった場合には、後述するように、シャッタ４０が開放状態に制御され、大入賞口３９に遊技球が受け入れ可能な状態となる。一方、特別図柄として、特定の数字図柄以外の数字図柄（例えば、“３”又は“７”以外の数字図柄）が停止表示された場合は、通常遊技状態が維持される。以上のように、特別図柄が変動表示された後、停止表示され、その結果によって遊技状態が移行又は維持されるゲームを「特別図柄ゲーム」という。
【００２８】
特別図柄表示器３３の右側には、普通図柄表示器３５が設けられている。普通図柄表示器３５は、２つのランプ（図示せず）で構成されており、このランプが交互に点灯・消灯を繰り返すことによって、例えば“○”、“×”等の記号が普通図柄として変動表示される。
【００２９】
表示器ケース３７の左右の両側には、特別図柄保留ランプ３４ａ〜３４ｄが設けられている。この特別図柄保留ランプ３４ａ〜３４ｄは、点灯又は消灯によって保留されている特別図柄の変動表示の実行回数（所謂、「保留個数」、「特別図柄に関する保留個数」）を表示する。例えば、特別図柄の変動表示の実行が１回分保留されている場合には、特別図柄保留ランプ３４ａが点灯する。
【００３０】
表示器ケース３７の下側には、普通図柄保留ランプ５０ａ〜５０ｄが設けられている。この普通図柄保留ランプ５０ａ〜５０ｄは、後述するように、点灯又は消灯によって保留されている普通図柄の変動表示の実行回数（所謂、「保留個数」、「普通図柄に関する保留個数」）を表示する。特別図柄と同様に、普通図柄の変動表示の実行が１回分保留されている場合には、普通図柄保留ランプ５０ａが点灯する。
【００３１】
図１及び図２を用いたパチンコ遊技機１０の概観の説明を続ける。扉１１には、透過性を有する保護板１９が配設されている。この保護板１９は、扉１１が閉鎖された状態で遊技盤１４の前面に対面するように配設されている。
【００３２】
発射ハンドル２６は本体枠１２に対して回動自在に設けられている。また、発射ハンドル２６の後部には、駆動装置である発射ソレノイド（図示せず）が設けられている。さらに、発射ハンドル２６の周縁部には、タッチセンサ（図示せず）が設けられている。このタッチセンサが遊技者により触接されたときには、遊技者により発射ハンドル２６が握持されたと検知される。発射ハンドル２６が遊技者によって握持され、かつ、時計回り方向へ回動操作されたときには、その回動角度に応じて発射ソレノイドに電力が供給され、上皿２０に貯留された遊技球が遊技盤１４に順次発射され、遊技が進められる。
【００３３】
また、遊技盤１４の後方に配設されている液晶表示装置３２の表示領域３２ａでは、前述した特別図柄表示器３３において表示される特別図柄と関連する演出画像が表示される。
【００３４】
図４に示すように、２つのガイドレール３０（３０ａ及び３０ｂ）、障害物５５、５７、通過ゲート５４ａ、５４ｂ、第２ワープ経路４９、障害物５８、羽根部材４８を備えた始動口４４、始動口４４、シャッタ４０、大入賞口３９、一般入賞口５６ａ、５６ｂ、５６ｃ、５６ｄが設けられている。なお、遊技盤１４の上部では、特別図柄表示器３３、普通図柄表示器３５等の電飾ユニット５３が視認可能となっている。
【００３５】
遊技盤１４の上部には障害物５５が設けられ、遊技盤１４の略中央には障害物５７が設けられている。また、遊技盤１４の中央部の右側にも障害物５８が設けられている。
【００３６】
遊技盤１４の左側に設けられている２つのガイドレール３０は、遊技領域１５を区画（画定）する外レール３０ａと、その外レール３０ａの内側に配設された内レール３０ｂとから構成される。発射された遊技球は、遊技盤１４上に設けられたガイドレール３０に案内されて、遊技盤１４の上部に移動し、電飾ユニット５３上を通過して、前述した複数の障害釘（図示せず）、遊技盤１４上に設けられた障害物５５、５７、５８等との衝突により、その進行方向を変えながら遊技盤１４の下方に向かって流下する。
【００３７】
また、障害物５５の左端部には、入賞口２４が形成されている。この入賞口２４に遊技球が入賞すると、遊技盤１４の背後において、第１ワープ経路４７を経由し、さらに、レール状の第２ワープ経路４９に沿って移動し、障害物５７の背後に導かれる。障害物５７の背後に導かれた遊技球は、障害物５７に囲まれた排出口（図示せず）から遊技盤１４の前面側に排出され、当該遊技盤１４へと流下する。
【００３８】
さらに、始動口４４が、障害物５５の右側に設けられている。この始動口４４は、左右の両側に羽根部材（所謂、普通電動役物）４８が設けられている。
【００３９】
前述した始動口２５又は始動口４４に遊技球が入賞した場合には、特別図柄表示器３３による特別図柄の変動表示が開始される。また、特別図柄の変動表示中に遊技球が始動口２５又は始動口４４へ入賞した場合には、変動表示中の特別図柄が停止表示されるまで、始動口２５又は始動口４４への遊技球の入賞に基づく特別図柄の変動表示の実行（開始）が保留される。その後、変動表示していた特別図柄が停止表示された場合には、保留されていた特別図柄の変動表示が開始される。
【００４０】
遊技盤１４の略中央の左右両側には通過ゲート５４ａ、５４ｂが設けられている。この通過ゲート５４ａ、５４ｂには、後述する通過球センサ（図示せず）が設けられている。通過球センサ（図示せず）は、遊技球が通過ゲート５４ａ、５４ｂを通過したことを検出する。そして、通過球センサ（図示せず）によって遊技球の通過が検出されたときには、普通図柄表示器３５に表示される普通図柄の変動表示が開始され、所定の時間が経過した後、普通図柄の変動表示を停止する。前述したように、この普通図柄は、“○”、“×”等の記号である。
【００４１】
この普通図柄が所定の図柄、例えば“○”として停止表示されたときには、始動口４４の左右の両側に設けられている羽根部材（所謂、普通電動役物）４８が閉鎖状態から開放状態となり、始動口４４に遊技球が入りやすくなるようになる。また、羽根部材４８を開放状態とした後、所定の時間が経過したときには、羽根部材４８を閉鎖状態として、始動口４４に遊技球が入りにくくなるようにする。以上のように、普通図柄が変動表示された後、停止表示され、その結果によって羽根部材４８の開放・閉鎖状態が異なってくるゲームを「普通図柄ゲーム」という。
【００４２】
また、特別図柄の変動表示と同じように、普通図柄の変動表示中において通過ゲート５４ａ、５４ｂを遊技球が通過した場合には、変動表示中の普通図柄が停止表示されるまで、当該通過ゲート５４ａ、５４ｂへの遊技球の通過に基づく普通図柄の変動表示の実行（開始）が保留される。その後、変動表示していた普通図柄が停止表示された場合には、保留されていた普通図柄の変動表示が開始される。
【００４３】
大入賞口３９には、その前面側（前方）に開閉自在なシャッタ４０が設けられている。このシャッタ４０は、特別図柄表示器３３において特別図柄として特定の数字図柄が停止表示され、遊技状態が大当り遊技状態に移行された場合は、遊技球を受け入れやすい開放状態となるように駆動される。その結果、大入賞口３９は、遊技球を受け入れやすい開放状態（第１の状態）となる。
【００４４】
一方、シャッタ４０の背面側（後方）に設けられた大入賞口３９には、Ｖ・カウントセンサ（図示せず）を有する特定領域（図示せず）と、カウントセンサ（図示せず）を有する一般領域（図示せず）とがあり、それらの領域を遊技球が所定個数（例えば１０個）通過するか、又は、所定時間（例えば３０秒）が経過するまでシャッタ４０が開放状態に駆動される。そして、開放状態において大入賞口３９への所定数の遊技球の入賞又は所定時間の経過のいずれかの条件が成立すると、シャッタ４０は、遊技球を受け入れ難い閉鎖状態になるように駆動される（第２の状態）。大入賞口３９が遊技球を受け入れやすい状態となっている開放状態（第１の状態）から大入賞口３９が遊技球を受け入れ難い状態となっている閉鎖状態（第２の状態）までの遊技をラウンドゲームという。したがって、シャッタ４０は、ラウンドゲーム時に開放し、各ラウンドゲーム間では閉鎖することになる。また、ラウンドゲームの１回目を第１ラウンド、２回目を第２ラウンドと呼称し、ラウンドゲームは、ラウンド数として計数される。
【００４５】
続いて、開放状態から閉鎖状態（第２の状態）駆動されたシャッタ４０は、開放状態において大入賞口３９に受け入れられた遊技球がＶ・カウントセンサ（図示せず）を通過したことを条件に、再度開放状態に駆動される。つまり、シャッタ４０の開放状態において大入賞口３９に受け入れられた遊技球がＶ・カウントセンサ（図示せず）を通過したことを条件に、次のラウンドゲームへ継続して進むことができる。なお、第１ラウンドのラウンドゲームから、次のラウンドゲームに継続して進むことができない（最終の）ラウンドゲームが終了するまでの遊技を特別遊技という。
【００４６】
特別遊技の実行中において、最もラウンドゲームが継続された場合のラウンド数（最大継続ラウンド数）は、ラウンド数抽選などの手段により所定の回数（例えば、１５回）に定められる。
【００４７】
また、所定の回数ラウンドゲームが終了した後、所定の条件が満たされると、ラウンド数増加手段によってラウンド数が増加され、増加したラウンド数のラウンドゲームがさらに実行される。ラウンド数増加手段については後述する。
【００４８】
また、前述した始動口２５、４４、一般入賞口５６ａ〜５６ｄ、大入賞口３９における特定領域及び一般領域に遊技球が入賞又は通過したときには、それぞれの入賞口の種類に応じて予め設定されている数の遊技球が上皿２０（図１参照）又は下皿２２に払い出される。このように、始動口２５、４４、一般入賞口５６ａ〜５６ｄ、大入賞口３９は、遊技盤（例えば、遊技盤１４など）の遊技領域（例えば、遊技領域１５など）に、遊技球が通過することによって、所定の演出又は遊技球の払い出しが実行される入賞役物の一例である。
【００４９】
一方、上記遊技盤１４の背面の右上部端部付近に設けられるラウンド数表示器５１は、遊技盤１４の遊技領域１５を透過して、この遊技領域１５の右上部端部付近にラウンド数を表示する。このラウンド数表示器５１は、複数の７セグメントＬＥＤ（図示せず）で構成されており、少なくとも１桁以上の数字の表示が可能である。なお、ラウンド数表示器５１は、ドットＬＥＤ、液晶表示部、透過性を有する液晶表示部などから構成される場合もある。また、ラウンド数表示器５１の後方は、液晶表示装置３２が設けられている。
【００５０】
ラウンドゲームが進行するごとに現在のラウンド数を“１”減少して表示する。つまり、ラウンド数が徐々にカウントダウンされるように表示され、特別遊技の終了時には、“０”がラウンド数表示器５１によって表示されることになる。
【００５１】
さらに、所定の回数のラウンドゲームが終了し、ラウンド数表示器５１に“０”が表示された後、ラウンド数増加手段によってラウンド数が増加された場合、増加したラウンド数（例えば８）がラウンド数表示器５１に表示される。
【００５２】
［遊技盤］
図５は、遊技盤１４を構成する各部を分解した様子を示す分解図である。取付板１００の前面にガイドレール３０が着脱自在に取り付けられる。このガイドレール３０によって囲まれた領域が遊技領域１５となる。取付板１００前面における遊技領域１５には複数の障害釘１３が植設されている。この障害釘１３は、初期状態が真直ぐな形状であることが記憶された形状記憶合金によって構成されている。障害釘１３として適用可能な形状記憶合金としては、遊技球との衝突によって容易に変形せず、また、常温（遊技球の転動領域内の温度）によって変態せず、しかも常温以上であってかつ取付板１００の変形温度によって変態する（初期状態に戻る）材質のものが適用可能である。具体的には、Ｎｉ−Ｔｉ系合金が使用可能である。このように、障害釘１３は、形状記憶合金からなる複数の遊技釘の一例である。
【００５３】
また、取付板１００前面における遊技領域１５には、通過ゲート５４ａ、５４ｂ、入賞口２４を形成する役物、始動口２５を形成する役物（例えば、電動役物２００（図９参照）など）、始動口４４を形成する役物、障害物５５、５７、５８、通過ゲート５４ａ、５４ｂ、第２ワープ経路４９等が取り付けられる。さらに、取付板１００前面の下部にはシャッタ４０が設置される。なお、遊技領域１５を転動しかつ流下する遊技球を取付板１００の前面側から後面側に移動させる孔部が取付板１００に形成されている。例えば、始動口２５、４４、一般入賞口５６ａ〜５６ｄあるいはシャッタ４０を通過した遊技球、さらにはガイドレール３０の最下部３０ｃに流下した遊技球を、遊技盤１４の後方に導くための孔部が取付板１００に形成されている。なお、図５においては、孔部の記載は省略する。また、遊技領域１５に取り付けられる、通過ゲート５４ａ、５４ｂ、入賞口２４を形成する役物、始動口２５を形成する役物（例えば、電動役物２００（図９参照）など）、始動口４４を形成する役物、障害物５５、５７、５８、通過ゲート５４ａ、５４ｂ、第２ワープ経路４９、シャッタ４０等の部材については、以下、必要に応じて装飾部材８０と総称することにする。
【００５４】
取付板１００前面における遊技領域１５に配置された装飾部材８０は、取付板１００に対して着脱自在に取り付けられている。例えば、取付板１００上に直接ねじ止めによって固定したり、あるいは取付板１００の後面に固定部材を配置し、取付板１００に形成した取付用の孔部を介して取付板１００前面の所定部材と後面に固定部材とを嵌合、あるいはねじやビスによって取付板１００を挟むように固定することにより、着脱自在に取り付けられている。
【００５５】
さらに、取付板１００の後面には、スペーサー３１が着脱自在に取り付けられている。例えば、取付板１００における遊技領域１５外に複数の貫通孔を設け、スペーサー３１にラッチ爪付きの突起部を形成し、当該貫通孔に突起部を挿入しかつラッチ爪を貫通孔の縁部に係合させることによって固定されている。
【００５６】
取付板１００の四隅には、取付板１００を本体枠１２に固定するための固定部１０１が形成されている。これら固定部１０１は遊技領域外域１６に形成されている。本実施形態においては固定部１０１が貫通孔によって形成されており、この固定部１０１にねじを挿入して本体枠１２に螺合することにより、遊技盤１４が本体枠１２に着脱自在に固定される。なお、遊技盤１４を本体枠１２に固定する方法としては、ねじ止めに限らず、本体枠１２に取付板１００の四隅を着脱自在に支持する支持機構を設けても良い。このように、取付板１００は、遊技領域（例えば、遊技領域１５など）の少なくとも一部を形成し、遊技盤（例えば、遊技盤１４など）に対して着脱自在に取り付け可能であり、複数の遊技釘（例えば、障害釘１３など）が植設された取付板の一例である。また、固定部１０１は、遊技領域外に設けられた、遊技領域（例えば、遊技領域１５など）と取付板（例えば、取付板１００など）との固定部の一例である。
【００５７】
このように、スペーサー３１が固定された遊技盤１４は、本体枠１２に着脱自在に固定されており、遊技盤１４を本体枠１２から取り外すことにより、取付板１００からスペーサー３１やガイドレール３０、装飾部材８０等を容易に取り外すことが可能になる。このため、装飾部材８０や障害釘１３等の交換作業を容易にすることが可能になるとともに、取付板１００の洗浄等が可能になる。
【００５８】
ところで、障害釘１３の調整作業は、ハンマーによって障害釘１３を叩いたり、あるいはペンチのような工具によって障害釘１３の根元を曲げるといった手作業によって行うことがほとんどである。
【００５９】
図６は調整作業の繰り返しによって障害釘１３が変形する過程を示す説明図である。図６（ａ）は初期の状態を示すものであり、取付板１００の板面に対して略直角方向に真直ぐな状態で植設されている。この状態から、図６（ｂ）に示すように、障害釘１３に対して側方からハンマーによって叩くことによって調整が行われる。しかし、障害釘１３は、様々な方向から叩かれることによって、やがて、図６（ｃ）に示すように、Ｓ字状に変形する。このように変形すると、工具を用いて再び真直ぐな状態に修正することは困難になり、正確な釘調整ができなくなる。そのため、図６（ｄ）に示すように、ペンチのような工具によって障害釘１３を抜き取り、新たな障害釘１３を植設する必要がある。これに対して、本実施形態においては、障害釘１３の材質が形状記憶合金であるため、障害釘１３を高温環境に置くことによって、基の状態に復帰させることが可能になる。このため、図６（ｄ）に示す抜き取り作業や、新たな障害釘１３の植設作業が不要となり、作業工数の削減によるコスト減を図ることが可能になる。しかも、新たな障害釘１３を用いる必要がなくなるため、部品コストを削減することが可能になる。次に、図７を参照しながら、障害釘１３を基の状態に復帰させる工程について詳細に説明する。
【００６０】
図７は障害釘１３を基の状態に復帰させる工程の説明図である。まず、図７（ａ）に示すように、柔軟性を有する毛状部材からなる回転ブラシ１３０を回転させ、この回転ブラシ１３０の毛状部材の端部に取付板１００における障害釘１３の植設面（前面）を当接させながら、取付板１００を水平方向に移動させることにより、取付板１００が洗浄される。次に、洗浄で用いた洗浄剤を落とすために取付板１００を、高温の水の中に浸す。このときの水温は、障害釘１３の変態温度以上から取付板１００の変形温度までの間に設定する。本実施形態においては、取付板１００として透明アクリル板が用いられ、障害釘１３として変態温度が例えば５０度に設定されたＮｉ−Ｔｉ系合金が用いられているため、水温は約６０度に設定されている。このため、図７（ｂ）に示す工程において、障害釘１３が基の状態に復帰する。これにより、取付板１００を洗浄すると同時に障害釘１３を基の状態に復帰させることが可能になる。そして、図７（ｃ）に示すように、温風を取付板１００に吹き付けることによって、取付板１００表面の水滴を吹き飛ばしながら乾燥させる。これにより、水やけの発生を防止しながら乾燥させることができる。
【００６１】
なお、図７（ｂ）に示す工程において、障害釘１３の復帰具合が十分でない場合には図７（ｃ）に示す工程において、復帰具合が十分でない障害釘１３に対して部分的に高温の温風を吹き付けても良い。
【００６２】
図８は本発明の第１の実施形態の他例の要部を示す分解図である。この第１の実施形態の他例は、図４に示す第１の実施形態における取付板１００を、図８に示すように、上下に取付板１００ａ、１００ｂの２枚に分割したものである。また、取付板１００ａ、１００ｂにそれぞれ本体枠１２に対する固定部１０１が形成されており、固定部１０１の形成位置は遊技領域外域１６である。また、取付板１００ａ、１００ｂはそれぞれスペーサー３１が取り付けられることによって一枚板状になる。この時、取付板１００ａ、１００ｂの端面同士が当接して分割ラインが形成され、この分割ラインは、取付板１００ａ、１００ｂが本体枠１２に取り付けられたときに、通過ゲート５４ａ、５４ｂと、通過ゲート５４ａ、５４ｂの直上に位置する障害釘１３との間に位置する。
【００６３】
これにより、比較的、調整機会が多い始動口２５の上部の障害釘１３が植設されている取付板１００ａの部分だけを外し、この取付板１００ａを高温環境下に置くことにより、取付板１００ａに植設されている障害釘１３を基に戻すことが可能になる。したがって、取付板１００ａを高温環境下に置くために、例えば水を入れるために大きな容器を用意する必要がなくなり、より簡単な作業によって、取付板１００ａに植設されている障害釘１３を基に戻すことが可能になる。このように、取付板１００ａは、遊技盤（例えば、遊技盤１４など）における入賞役物（例えば、始動口２５など）の上方に位置する箇所に着脱自在に取り付けられている取付板の一例である。
【００６４】
なお、図８に示す構成においては、取付板１００ａ、１００ｂを長方形状に分割したが、それに限るものではない。例えば、液晶表示装置３２の表示領域３２ａに相当する領域に、分割ラインが位置しないように、取付板１００ａの下部を延出させたり、あるいは取付板１００ｂの上部を延出させても良い。このように分割ラインについては適宜設定可能である。さらに、分割枚数についても、本体枠１２又はスペーサー３１に固定することが可能な範囲で適宜設定可能である。さらに、上述した実施形態によれば、始動口２５の上部の障害釘１３が植設されている取付板１００ａの部分を外すことができるように、取付板１００ａを分割したが、それに限るものではなく、始動口２５、一般入賞口５６ａ〜５６ｄ、大入賞口３９の上部の障害釘１３が植設されている取付板１００ａの部分を外すことができるように、取付板１００ａを分割しても良い。さらには入賞口２４の側部の障害釘１３が植設されている取付板１００ａの部分を外すことができるように、取付板１００ａを分割しても良い。
【００６５】
このように本実施形態によれば、形状記憶合金（例えば、Ｎｉ−Ｔｉ系合金など）からなる遊技釘が植設された取付板は、遊技盤から着脱自在である。従って、例えば、遊技盤から取り外した取付板において、遊技釘を加熱することで容易に基の姿勢に戻したり、取付板ごと高温下（例えば、取付板がアクリル板であれば４０〜７０度）において洗浄を行うことで、板及び遊技釘の洗浄と、遊技球との衝突により変形された遊技釘の姿勢を基に戻すことが可能である。このように、遊技盤全体ではなく、取り外した取付板のみを高温下で洗浄するという作業性に優れた方法によって遊技釘の調整を繰り返し行うことが可能である。また、遊技釘が植設された着脱自在な取付板を有するという簡単な構造のため、製造コストを低下することが可能となる。このため、作業性に優れ、遊技釘の調整を繰り返し行いやすく、さらに、簡単な構造であり、製造コストが高くなりにくい遊技機を提供することができる。
【００６６】
また、本実施形態によれば、例えば、役物などの遊技部材が無く、作業者にとって着脱作業がしやすい箇所である遊技領域外に遊技盤と取付板との固定部（例えば、ねじ、固定レバーなど）があるため、遊技盤と取付板の着脱が容易に行うことができることにより、作業性に優れ、遊技釘の調整を繰り返し行いやすい。さらに、転動する遊技球に障害とならないように構造を工夫することも必要のない、遊技球が転動しない遊技領域外に固定部を設けるという簡単な構造のため、製造コストを低下することが可能となる。このため、作業性に優れ、遊技釘の調整を繰り返し行いやすく、さらに、簡単な構造であり、製造コストが高くなりにくい遊技機を提供することができる。
【００６７】
また、本実施形態によれば、入賞役物へ遊技球が入賞するために非常に重要な箇所であり、遊技釘を調整する頻度が高い入賞役物の上方に位置する取付板が着脱自在であるので、この取付板を取り外して遊技釘の調整作業を行うことができる。このため、遊技機に取り付けた状態のままで遊技釘を調整するよりも作業性に優れ、遊技釘の調整を繰り返し行いやすい。このため、作業性に優れ、遊技釘の調整を繰り返し行いやすく、さらに、簡単な構造であり、製造コストが高くなりにくい遊技機を提供することができる。
【００６８】
［遊技機の別構成］
図９は本発明の別実施形態の遊技機における要部を示す説明図であり、図９（ａ）は始動口２５付近の正面図、図９（ｂ）は図９（ａ）のＡＡ線断面図である。図９に示す別実施形態は、図１〜図５に示す実施形態における取付板１００の後面に、取付板１００と同一部材でかつ一枚板からなる第２取付板１１０を取り付け、さらに取付板１００を複数に分割して各取付板１００を第２取付板１１０上に取り付けた構成である。特に、別実施形態においては、始動口２５付近の取付板１００の一部領域を分割したものである。なお、図１〜図５に示す実施形態における部材と、同一の部材又は同一機能の部材については、同一の符号を付して詳細な説明は省略する。
【００６９】
始動口２５を形成する電動役物２００は、通過ゲート２１０を備えた支持体２１１に固定されており、始動口２５の上部に通過ゲート２１０が位置する。さらに電動役物２００の後方には、取付板１００及び第２取付板１１０を介して、電動役物２００及びシャッタ４０を駆動する駆動ユニット２２０が設置されている。そして、通過ゲート２１０を備えた支持体と駆動ユニット２２０とをねじ２３０によって螺合することにより、第２取付板１１０に、電動役物２００、駆動ユニット２２０及び取付板１００が着脱自在に固定される。なお、駆動ユニット２２０は、第２取付板１１０において電動役物２００によって隠れている領域に、両面粘着性テープあるいは接着剤等により接着固定しても良い。これにより、ねじ２３０を外したときに駆動ユニット２２０が第２取付板１１０から落下することを防止できる。
【００７０】
取付板１００には、通過ゲート２１０の直上に位置する２本の障害釘１３ａ、１３ａと、シャッタ４０の両側の上部に位置し、シャッタ４０に移動しようとする遊技球が通過する間隙を形成する２本の障害釘１３ｂ、１３ｂとが植設されている。ここで、障害釘１３ａ、１３ａ及び障害釘１３ｂ、１３ｂは、始動口２５への入球、及びシャッタ４０への入球のしやすさに関係するため、比較的、調整頻度が高い釘である。これらの釘も第１の実施形態と同様に、形状記憶合金によって構成されており、図７（ｂ）に示すように高温環境下に置くことによって、真直ぐな状態に復帰することができる。また、障害釘１３を基の真直ぐな状態に戻す際には、始動口２５付近の取付板１００を部分的に取り外すことによって、始動口２５付近の障害釘１３をまとめて基の真直ぐな状態に戻すことが可能になる。
【００７１】
このように、別実施形態によれば、特に、調整頻度が高い障害釘１３が植設されている始動口２５付近の取付板１００を部分的に取り外すことが可能であるため、必要以外の部材を取り外す必要はなくなり、障害釘を真直ぐな状態に復帰させるための作業を簡略化することが可能になる。
【００７２】
なお、別実施形態においては、始動口２５付近の取付板１００を分割したものであるが、本発明は、それに限るものではない。例えば、入賞口２４、始動口４４、通過ゲート５４ａ、５４ｂの近傍の障害釘を含むように取付板１００を分割しても良い。
【００７３】
なお、上述した実施形態においては、取付板１００として透明又は半透明部材を用いたが、透明又は半透明部材でなくても良いことは言うまでもない。また、取付板１００が、透明又は半透明部材でなければ、第２取付板１１０も透明又は半透明部材でなくて良い。
【００７４】
上述した実施形態においては、第１種パチンコ遊技機を例に挙げたが、これに限らず、羽根モノ、ヒコーキモノと称される第２種パチンコ遊技機、権利モノと称される第３種パチンコ遊技機、その他別の態様であっても良い。
【００７５】
また、本実施形態においては、パチンコ遊技機等の遊技機自体に本発明を適用したが、ゲーム機などに適用しても良い。
【００７６】
以上、本発明の実施形態を説明したが、具体例を例示したに過ぎず、特に本発明を限定するものではない。すなわち、本発明は、主に、遊技球が転動する遊技領域を有する遊技盤と、当該遊技領域の少なくとも一部を形成し、前記遊技盤に対して着脱自在に取り付け可能であり、複数の遊技釘が植設された取付板とを備え、前記複数の遊技釘は、形状記憶合金からなることを特徴とする遊技機であるが、遊技盤、取付板、遊技釘などの具体的構成は、適宜設計変更可能である。
【００７７】
尚、本発明の実施例に記載された効果は、本発明から生じる最も好適な効果を列挙したに過ぎず、本発明による効果は、本発明の実施例に記載されたものに限定されるものではない。
【図面の簡単な説明】
【００７８】
【図１】本発明の第１の実施形態のパチンコ遊技機における概観を示す斜視図である。
【図２】本発明の第１の実施形態のパチンコ遊技機における概観を示す分解斜視図である。
【図３】本発明の第１の実施形態のパチンコ遊技機において構成される電飾ユニットを示す正面図である。
【図４】本発明の第１の実施形態のパチンコ遊技機における概観を示す正面図である。
【図５】本発明の第１の実施形態のパチンコ遊技機の要部を示す分解斜視図である。
【図６】パチンコ遊技機における釘調整の方法を示す説明図である。
【図７】本発明の第１の実施形態のパチンコ遊技機における障害釘を基に戻す工程を示す説明図である。
【図８】本発明の第１の実施形態のパチンコ遊技機の他例の要部を示す分解斜視図である。
【図９】本発明の別実施形態のパチンコ遊技機の要部を示す分解斜視図である。
【符号の説明】
【００７９】
１０  パチンコ遊技機
１１  扉
１２  本体枠
１３，１３ａ、１３ｂ  障害釘
１４  遊技盤
１５  遊技領域
１６  遊技領域外域
１９  保護板
２０  上皿
２２  下皿
２４  入賞口
２５  始動口
２６  発射ハンドル
３０  ガイドレール
３１  スペーサー
３２  液晶表示装置
３３  特別図柄表示器
３５  表示器
３７  表示器ケース
３９  大入賞口
４０  シャッタ
４４  始動口
４７  第１ワープ経路
４８  羽根部材
４９  第２ワープ経路
５１  ラウンド数表示器
５３  電飾ユニット
５４ａ、５４ｂ  通過ゲート
５５  障害物
５７  障害物
５８  障害物
８０  装飾部材
１００、１００ａ、１００ｂ  取付板
１０１  固定部
１１０  第２取付板
１３０  回転ブラシ
２００  電動役物
２１０  通過ゲート
２１１  支持体
２２０  駆動ユニット
２３０  ねじ
【図１】
2007111135.tif 000003
【図２】
2007111135.tif 000004
【図３】
2007111135.tif 000005
【図４】
2007111135.tif 000006
【図５】
2007111135.tif 000007
【図６】
2007111135.tif 000008
【図７】
2007111135.tif 000009
【図８】
2007111135.tif 000010
【図９】
2007111135.tif 000011